(57)【要約】【課題】ランプハウスから取り外したランプユニットのランプを交換する操作の操作性を向上させる構造の医療用光源装置を提供することにある。【解決手段】光源ランプ２と、光源ランプ２の外周を覆うヒートシンク４１とヒートシンク４１の外周を覆い、ヒートシンクの冷却用の送風路を構成するホルダー４２を組み付けたランプユニット４０がランプハウス３０に着脱可能に装着され、ホルダー４２は、光源ランプ２の光軸と直交する方向に分割可能に組み合わされるランプユニット側ホルダー構成体４２Ａとランプハウス側ホルダー構成体４２Ｂを有し、ランプユニット側ホルダー構成体４２Ａは、伝熱性が低い材料で形成され、ヒートシンク４１と反対側の面にランプユニット４０を上向き状態で設置する平面状の受け面７４ａを設けた医療用光源装置１によって、ランプハウス３０から取り外したランプユニット４０の光源ランプ２を交換する操作の操作性を向上させることができる。【選択図】図８
2010160923.tif 000002
【特許請求の範囲】
【請求項１】
光源装置本体と、
光源ランプ及び前記光源ランプと着脱可能に取り付けられるヒートシンクとからなり、前記光源装置本体に対し着脱可能なランプユニットと、
前記ランプユニットに設けられ、前記ヒートシンクに対し前記光源ランプを固定する固定機構と、
前記ランプユニットに設けられ、前記ヒートシンクの少なくとも一部を覆う第１のホルダー構成体と、
からなる医療用光源装置であって、
前記第１のホルダー構成体には、前記光源装置本体から取り外した前記ランプユニットが設置面に設置される場合に、前記設置面と当接する受け面が設けられ、
前記ランプユニットの前記受け面が配設される側とは異なる方向側の部位に前記固定機構が配設されることを特徴とする医療用光源装置。
【請求項２】
前記受け面は、前記ランプユニットの前記固定機構の反対側の部位で、かつ、前記第１のホルダー構成体の前記ヒートシンクと相対する面とは反対側の面に設けられることを特徴とする請求項１に記載の医療用光源装置。
【請求項３】
前記固定機構は、前記ヒートシンクに設けられていることを特徴とする請求項１に記載の医療用光源装置。
【請求項４】
前記光源装置本体は、前記ランプユニットが取り付けられるランプハウスを有し、
前記ランプハウスには前記ランプユニットが取り付けられた状態において前記第１のホルダー構成体と組み合わされることで、前記ヒートシンクの全周を覆うとともに前記ヒートシンクの冷却用の送風路を形成するホルダーを構成する、第２のホルダー構成体が設けられていることを特徴とする請求項１に記載の医療用光源装置。
【請求項５】
前記第１及び第２のホルダー構成体により構成される前記ホルダーは、前記光源ランプの光軸方向と平行な分割面で前記第１及び第２のホルダー構成体に分割可能であることを特徴とする請求項４に記載の医療用光源装置。
【請求項６】
前記第１のホルダー構成体は伝熱性低い材料からなるとともに、前記受け面は平面状であることを特徴とする請求項１に記載の医療用光源装置。
【請求項７】
前記受け面は、前記光源装置本体に対して前記ランプユニットを着脱する着脱作業用の手掛け部を有することを特徴とする請求項１に記載の医療用光源装置。
【請求項８】
前記第１のホルダー構成体と前記ヒートシンクとの締結部は、前記受け面とは異なる部位に設けられていることを特徴とする請求項１に記載の医療用光源装置。
【請求項９】
前記第２のホルダー構成体は、前記光源ランプに電力を供給するための電極を有し、前記ヒートシンクは、前記電極と嵌合する接点用の嵌合部を有することを特徴とする請求項４に記載の医療用光源装置。
【請求項１０】
前記受け面は、前記ホルダーの分割面に対し平行に設けられていることを特徴とする請求項５に記載の医療用光源装置。
【請求項１１】
前記第１のホルダー構成体は、前記受け面と垂直な平面上に位置するとともに前記ヒートシンクとの前記締結部を含む底部を有することを特徴とする請求項８に記載の医療用光源装置。
【請求項１２】
前記光源装置本体は、前記ランプユニットが取り付けられるランプハウスを有し、
前記底部における前記ヒートシンクが締結される面と反対側の面にはガイド部が設けられ、前記ガイド部と前記ランプハウスの底面に設けられたガイド受け部とが嵌合することで、前記光源ランプの出力光が所定の位置に調整されることを特徴とする請求項１１に記載の医療用光源装置。
【請求項１３】
前記ホルダーの分割面は、前記光源ランプの光軸の略中心を通ることを特徴とする請求項５に記載の医療用光源装置。
【請求項１４】
前記ヒートシンクは、陽極のヒートシンク構成体と、陰極のヒートシンク構成体からなり、
一方の極のヒートシンク構成体は、前記第１のホルダー構成体に固定され、
他方の極のヒートシンク構成体は、前記第１のホルダー構成体に対して着脱可能であることを特徴とする請求項１に記載の医療用光源装置。
【請求項１５】
一方の極の前記ヒートシンク構成体の前記固定機構が、前記ランプユニットの前記受け面が配設される側とは反対側の部位に配設されることを特徴とする請求項１４に記載の医療用光源装置。
【請求項１６】
前記ホルダーは、前記送風路の断面形状が円形状に形成され、
前記第１のホルダー構成体は、断面形状が略半円形状に形成されていることを特徴とする請求項４に記載の医療用光源装置。
【発明の詳細な説明】
【技術分野】
【０００１】
本発明は体腔内に挿入する内視鏡の光源として用いられる医療用光源装置に関する。
【背景技術】
【０００２】
一般に、照明光を出射する光源装置の一例として特許文献１の装置がある。この装置では、装置本体のケーシングの内部に光源であるランプと、ランプから出射される照明光を集光する光学系とが組み込まれている。
【０００３】
光源であるランプには放熱手段としてアルミニウム製のブロック体で形成されたヒートシンクが装着されている。ここで、ランプとヒートシンクとの組付け体には、両者を固定状態に保持する保持手段が取り付けられている。
【０００４】
特許文献２には、内視鏡用の光源装置が示されている。ここでは、光源装置のケースの内部にランプハウス（ランプユニット取り付け部）が形成されている。このランプハウスには、光源ランプを有するランプユニットが着脱可能に収納される。ケースには、ランプ交換扉が設けられている。ランプ交換扉を開いてランプハウスに対してランプユニットを挿脱して光源ランプを交換するようになっている。
【０００５】
さらに、ランプユニットには、樹脂製のホルダーが設けられている。ホルダーには、光源ランプの放熱手段としてのヒートシンクが固定されている。このホルダーは、ランプハウスにランプユニットを装着した際に、ランプハウスの蓋となる。そのため、ランプハウスの壁面と、ランプユニットのホルダーとによって、ランプユニットが覆われる。これにより、ランプハウスにランプユニットを装着した状態ではランプユニットのヒートシンクやランプに触れないようにカバーされる構成になっている。
【０００６】
特許文献３には、さらに別の構成の内視鏡用の光源装置が示されている。ここでは、円筒形状の光源ランプは、絶縁材料からなるホルダーの後部に陽極の筒状電極が、前部に陰極の筒状電極がそれぞれ設けられている。また、光源用ヒートシンクは、光源ランプの陽極の筒状電極と導通する第１ヒートシンクと、陰極の筒状電極と導通する第２ヒートシンクと、第１、第２ヒートシンクを絶縁状態で連結する絶縁ヒートシンクの３個の部分を備え、これらのヒートシンクが組み合わされて筒状の箱状体を形成する構成になっている。
【先行技術文献】
【特許文献】
【０００７】
【特許文献１】特開２００７−５２１３０号公報
【特許文献２】特開２００４−２５４７６０号公報
【特許文献３】特開２００６−４３２７１号公報
【発明の概要】
【発明が解決しようとする課題】
【０００８】
特許文献１の装置のランプユニットでは、ヒートシンクがむき出し状態で設けられている。そのため、ランプ交換時にヒートシンクが冷めてからでないとランプ交換作業ができない。
【０００９】
上記特許文献２の光源装置では、ランプユニットのホルダーは、低熱伝導性且つ非導電性の樹脂製部材によって形成されている。そのため、ヒートシンクが高温になっている場合であっても、ホルダーを保持することで、ランプユニットをランプハウスから引き抜くことができる。しかしながら、上記特許文献２の装置では、ホルダーのヒートシンクと反対側の面には、ランプユニットをランプハウスから取り外す際に使用されるイジェクタが取り付けられているため、ランプユニットをランプハウスから取り外した後、ランプユニットのホルダーを水平な台の上に安定して置くことができず、ランプを交換する操作が行いにくい問題がある。
【００１０】
上記特許文献３の光源装置では、光源用ヒートシンクを構成するヒートシンクの３個の構成部分は、光源ランプの光軸方向に沿って並設されている。そして、３個の各ヒートシンクの構成部分の中心部位には、光源ランプが装着される光源ランプの装着穴部がそれぞれ形成されている。そのため、光源ランプと光源用ヒートシンクとの組み付け時には、光源ランプは、３個の各ヒートシンクの構成部分の組付け体の内部に埋設された状態で保持されているので、光源ランプの交換時には、３個の各ヒートシンクの構成部分が冷めてからでないとランプ交換作業ができない。
【００１１】
本発明は上記課題に着目してなされたものであり、その目的とするところは、ランプユニットをランプハウスから取り外す操作だけでなく、取り外したランプユニットのランプを交換する操作の操作性を向上させる構造を有する医療用光源装置を提供することにある。
【課題を解決するための手段】
【００１２】
上記目的を達成するため、請求項１の発明は、光源装置本体と、光源ランプ及び前記光源ランプと着脱可能に取り付けられるヒートシンクとからなり、前記光源装置本体に対し着脱可能なランプユニットと、前記ランプユニットに設けられ、前記ヒートシンクに対し前記光源ランプを固定する固定機構と、前記ランプユニットに設けられ、前記ヒートシンクの少なくとも一部を覆う第１のホルダー構成体と、からなる医療用光源装置であって、前記第１のホルダー構成体には、前記光源装置本体から取り外した前記ランプユニットが設置面に設置される場合に、前記設置面と当接する受け面が設けられ、前記ランプユニットの前記受け面が配設される側とは異なる方向側の部位に前記固定機構が配設されることを特徴とする医療用光源装置である。
【００１３】
そして本請求項１の発明の医療用光源装置では、第１のホルダー構成体の受け面を設置面上に載置した状態で、光源装置本体から取り外したランプユニットの光源ランプを交換する操作をすることができる。また、光源ランプとヒートシンクとの固定機構を第１のホルダー構成体の受け面が配設される側と異なる方向側の部位に設けることにより、第１のホルダー構成体の受け面と異なる部位で光源ランプの交換する操作を行うことができる。これにより、取り外したランプユニットの光源ランプを交換する操作の操作性を向上させることができる。
【００１４】
請求項２の発明は、前記受け面は、前記ランプユニットの前記固定機構の反対側の部位で、かつ、前記第１のホルダー構成体の前記ヒートシンクと相対する面とは反対側の面に設けられることを特徴とする請求項１に記載の医療用光源装置である。
【００１５】
そして本請求項２の発明の医療用光源装置では、固定機構をランプユニットの受け面と反対側の部位に設けることで、光源ランプをヒートシンクに固定する操作の操作性を向上させることができる。また、受け面をヒートシンクと相対する面とは反対側の面に設けることにより、ランプユニットを安定させて設置面上に載置できる。これにより、取り外したランプユニットの光源ランプを交換する操作の操作性を向上させることができる。
【００１６】
請求項３の発明は、前記固定機構は、前記ヒートシンクに設けられていることを特徴とする請求項１に記載の医療用光源装置である。
【００１７】
請求項４の発明は、前記光源装置本体は、前記ランプユニットが取り付けられるランプハウスを有し、前記ランプハウスには前記ランプユニットが取り付けられた状態において前記第１のホルダー構成体と組み合わされることで、前記ヒートシンクの全周を覆うとともに前記ヒートシンクの冷却用の送風路を形成するホルダーを構成する、第２のホルダー構成体が設けられていることを特徴とする請求項１に記載の医療用光源装置である。
【００１８】
そして、本請求項４の発明の医療用光源装置では、第１及び第２のホルダー構成体を組み合わせてヒートシンクの全周を覆うことで、ヒートシンク冷却用の送風路が形成される。これにより、ヒートシンクを有効に冷却することができる。
【００１９】
請求項５の発明は、前記第１及び第２のホルダー構成体により構成される前記ホルダーは、前記光源ランプの光軸方向と平行な分割面で前記第１及び第２のホルダー構成体に分割可能であることを特徴とする請求項４に記載の医療用光源装置である。
【００２０】
そして、本請求項５の発明の医療用光源装置では、受け面をホルダーの分割面と平行に設けることにより、ホルダー構成体の受け面を設置面上に載置する際、ランプユニットを安定させて設置面上に載置することができる。これにより、取り外したランプユニットの光源ランプを交換する操作の操作性を向上させることができる。
【００２１】
請求項６の発明は、前記第１のホルダー構成体は伝熱性低い材料からなるとともに、前記受け面は平面状であることを特徴とする請求項１に記載の医療用光源装置である。
【００２２】
そして、本請求項６の発明の医療用光源装置では、第１のホルダー構成体を伝熱性が低い材料で形成することにより、ヒートシンクが高温になっている場合であっても、第１のホルダー構成体を保持することで、ランプユニットを光源装置本体から取り出すことができる。また、第１のホルダー構成体の受け面を平面状に形成することにより、ランプユニットを安定させて設置面上に載置できる。これにより、取り外したランプユニットの光源ランプを交換する操作の操作性を向上させることができる。
【００２３】
請求項７の発明は、前記受け面は、前記光源装置本体に対して前記ランプユニットを着脱する着脱作業用の手掛け部を有することを特徴とする請求項１に記載の医療用光源装置である。
【００２４】
そして、本請求項７の発明の医療用光源装置では、第１のホルダー構成体の受け面の手掛け部に作業者の手を掛けることにより、光源装置本体に対してランプユニットを着脱する着脱作業を容易に行うことができる。
【００２５】
請求項８の発明は、前記第１のホルダー構成体と前記ヒートシンクとの締結部は、前記受け面とは異なる部位に設けられていることを特徴とする請求項１に記載の医療用光源装置である。
【００２６】
そして、本請求項８の発明の医療用光源装置では、第１のホルダー構成体とヒートシンクとの締結部を第１のホルダー構成体の受け面と異なる部位に設けることにより、電源装置本体からランプユニットを取り外した後、第１のホルダー構成体の設置面と相対する面と異なる部位で光源ランプの交換する操作を行うことができる。これにより、取り外したランプユニットの光源ランプを交換する操作の操作性を向上させることができる。
【００２７】
請求項９の発明は、前記第２のホルダー構成体は、前記光源ランプに電力を供給するための電極を有し、前記ヒートシンクは、前記電極と嵌合する接点用の嵌合部を有することを特徴とする請求項４に記載の医療用光源装置である。
【００２８】
そして、本請求項９の発明の医療用光源装置では、第２のホルダー構成体の電極との嵌合部をヒートシンクに設けることにより、電極との嵌合部を別部品にする必要がなくコストを抑えることができる。
【００２９】
請求項１０の発明は前記受け面は、前記ホルダーの分割面に対し平行に設けられていることを特徴とする請求項５に記載の医療用光源装置である。
【００３０】
そして、本請求項１０の発明の医療用光源装置では、受け面をホルダーの分割面と平行に設けることにより、ホルダーの受け面を設置面上に載置する際、ランプユニットを安定させて設置面上に載置することができる。これにより、取り外したランプユニットの光源ランプを交換する操作の操作性を向上させることができる。
【００３１】
請求項１１の発明は、前記第１のホルダー構成体は、前記受け面と垂直な平面上に位置するとともに前記ヒートシンクとの前記締結部を含む底部を有することを特徴とする請求項８に記載の医療用光源装置である。
【００３２】
そして、本請求項１１の発明の医療用光源装置では、第１のホルダー構成体のヒートシンクとの締結面が受け面と垂直な平面状に形成されていることにより、ホルダー構成体にヒートシンクを着脱する操作の操作性が向上する。これにより、取り外したランプユニットの光源ランプを交換する操作の操作性を向上させることができる。
【００３３】
請求項１２の発明は、前記光源装置本体は、前記ランプユニットが取り付けられるランプハウスを有し、前記底部における前記ヒートシンクが締結される面と反対側の面にはガイド部が設けられ、前記ガイド部と前記ランプハウスの底面に設けられたガイド受け部とが嵌合することで、前記光源ランプの出力光が所定の位置に調整されることを特徴とする請求項１１に記載の医療用光源装置である。
【００３４】
そして、本請求項１２の発明の医療用光源装置では、第１のホルダー構成体の底部のガイド部とランプハウスの底面のガイド受け部が嵌合することによって、第１のホルダー構成体の底部のガイド部がランプハウス底面のガイド受け部に沿ってガイドされる状態で、ランプユニットが光源ランプの光軸方向と直交する方向に移動されることにより、ランプユニットをランプハウスに取り付ける操作において光源ランプからの出力光が所定の位置に調整される。これにより、ランプユニットとランプハウスの位置調整を容易に行うことができ、ランプユニットをランプハウスに取り付ける操作の操作性を向上させることができる。
【００３５】
請求項１３の発明は、前記ホルダー構成体の分割面は、前記光源ランプの光軸の略中心を通ることを特徴とする請求項５に記載の医療用光源装置である。
【００３６】
請求項１４の発明は、前記ヒートシンクは、陽極のヒートシンク構成体と、陰極のヒートシンク構成体からなり、一方の極のヒートシンク構成体は、前記第１のホルダー構成体に固定され、他方の極のヒートシンク構成体は、前記第１のホルダー構成体に対して着脱可能であることを特徴とする請求項１に記載の医療用光源装置である。
【００３７】
そして、本請求項１４の発明の医療用光源装置では、ランプハウスから取り外したランプユニットの光源ランプを交換する操作において、一方の極のヒートシンク構成体のみを第１のホルダー構成体から取り外して行うことで、光源ランプの交換を行うことができる。これにより、他方の極のヒートシンク構成体を第１のホルダー構成体から取り外す必要はなく、ランプユニットの光源ランプを交換する操作の操作性を向上させることができる。
【００３８】
請求項１５の発明は、一方の極の前記ヒートシンク構成体の前記固定機構が、前記ランプユニットの前記受け面が配設される側とは反対側の部位に配設されることを特徴とする請求項１４に記載の医療用光源装置である。
【００３９】
そして本請求項１５の発明の医療用光源装置では、一方の極のヒートシンク構成体の固定機構をランプユニットの受け面と反対側の部位に設けることで、光源ランプをヒートシンクに固定する操作の操作性を向上させることができる。
【００４０】
請求項１６の発明は、前記ホルダーは、前記送風路の断面形状が円形状に形成され、  前記第１のホルダー構成体は、断面形状が略半円形状に形成されていることを特徴とする請求項４に記載の医療用光源装置である。
【発明の効果】
【００４１】
本発明によれば、ランプユニットをランプハウスから取り外す操作だけでなく、取り外したランプユニットのランプを交換する操作の操作性を向上させる構造を有する医療用光源装置を提供することができる。
【図面の簡単な説明】
【００４２】
【図１】図１は本発明の第１の実施形態の医療用光源装置が用いられる内視鏡システムの概略図。
【図２】図２は第１の実施形態の医療用光源装置の筐体の外観を示す斜視図。
【図３】図３は第１の実施形態の医療用光源装置の筐体の内部構造を示す斜視図。
【図４】図４は第１の実施形態の医療用光源装置のランプユニットがランプハウスに取り付けられた状態におけるランプハウス及びシールドケースの内部構造を示す斜視図。
【図５】図５は第１の実施形態の医療用光源装置のランプユニットがランプハウスに取り付けられていない状態におけるランプハウス及びシールドケースの内部構造を示す斜視図。
【図６】図５は第１の実施形態の医療用光源装置のランプユニットがランプハウスに取り付けられていない状態におけるランプハウスを上側から見た平面図。
【図７】図７は第１の実施形態の医療用光源装置のランプユニットがランプハウスに取り付けられていない状態におけるランプハウスを集光ユニット方向側から見た側面図。
【図８】図８は第１の実施形態の医療用光源装置のランプユニットを示す斜視図。
【図９】図９は第１の実施形態の医療用光源装置のランプユニットを構成部品ごとに分解して示す斜視図。
【図１０】図１０は第１の実施形態の医療用光源装置のランプユニットの電極嵌合部とランプハウスのランプハウス電極の嵌合状態を説明するための側面図。
【図１１】図１１は第１の実施形態の医療用光源装置のランプユニットの陽極側ヒートシンクの集光ユニット方向側の面の構成を示した側面図。
【図１２】図１２は第１の実施形態の医療用光源装置のランプユニットを冷却ファン方向側から見た側面図。
【図１３】図１３は第１の実施形態の医療用光源装置のランプユニットを集光ユニット方向側から見た側面図。
【図１４】図１４は図１３のＸ−Ｘの切断面を示す断面図。
【図１５】図１５は第１の実施形態の医療用光源装置のランプユニットのランプ取り付け部分を示し、（ａ）はランプを取り付けていない状態における断面図、（ｂ）はランプを取り付けた状態における断面図。
【図１６】図１６は第１の実施形態の医療用光源装置のランプユニットを下側から見た平面図。
【図１７】図１７は第１の実施形態の医療用光源装置のランプユニットをランプユニットが抜脱される方向側から見た側面図。
【図１８】図１８は第１の実施形態の医療用光源装置のランプユニットのヒートシンクの電極嵌合部がランプハウスのランプハウス電極と嵌合していない状態を示した集光ユニット方向側から見た側面図。
【図１９】図１９は第１の実施形態の医療用光源装置のランプユニットのヒートシンクの電極嵌合部がランプハウスのランプハウス電極と嵌合し、かつ、ランプハウスを開閉する扉が開いた状態を示した集光ユニット方向側からみた側面図。
【図２０】図２０は第１の実施形態の医療用光源装置のランプユニットのヒートシンクの電極嵌合部がランプハウスのランプハウス電極と嵌合し、かつ、ランプハウスを開閉する扉が閉じた状態を示した集光ユニット方向側からみた側面図。
【図２１】図２１は第１の実施形態のランプユニットをランプハウスから取り出した後、ランプユニットを水平面上に設置した状態を示した側面図。
【図２２】図２２は第１の実施形態のランプユニットの変形例を示す側面図。
【発明を実施するための形態】
【００４３】
本発明の第１の実施形態について図１乃至図２１を参照して説明する。図１は本実施形態の医療用光源装置１が用いられる内視鏡システムの概略構成を示した図である。医療用光源装置１は光源としての光源ランプ２と、光学ユニット３と、ライトガイド接続部７とを有する。光学ユニット３は集光レンズ４及び絞り５等を有する。絞り５は中央処理装置６に接続されている。
【００４４】
図２は医療用光源装置１の筐体１０の外観を示す図である。図２に示すように、医療用光源装置１の筐体１０はフロントパネル２１を有する。フロントパネル２１は医療用光源装置１の電源スイッチ２２及びライトガイド接続部７を有する。図１に示すように、光源ランプ２から出射された照明光は集光レンズ４により集光され、絞り５を経由してライトガイド接続部７に導光される。中央処理装置６は被写体を照らす明るさが一定となるように絞り５を駆動制御する。そして、絞り５によって適切な光量に調整された照明光がライトガイド接続部７に導光される。
【００４５】
ライトガイド接続部７には内視鏡９のライトガイド８の基端部のコネクタが接続されている。ライトガイド８は内視鏡９の内部を通って、内視鏡９の先端部まで延設されている。光源ランプ２からの照明光はライトガイド８を介して内視鏡９の先端部の照明窓部から外部に出射され、被写体を照射する。
【００４６】
図３は医療用光源装置１の筐体１０の内部構造を示した図である。図３に示すように、医療用光源装置１の筐体１０の内部には、光学ユニット３、点灯装置２３、シールドケース２４及びランプハウス３０（ランプユニット取り付け部）などが設けられている。ランプハウス３０には、光源ランプ２を有するランプユニット４０が着脱可能に装着されている。
【００４７】
図２に示すように、医療用光源装置１の筐体１０には、ランプ交換用の開口部１１が形成されている。開口部１１は、ランプハウス３０の側面と対応する位置に配置されている。筐体１０には、この開口部１１を開閉するための金属製の扉１２が取り付けられている。扉１２の一側部は、図示しない蝶番等によって筐体１０に回動自在に枢支されている。開口部１１から光源ランプ２を有するランプユニット４０が図２中の矢印ａで示す方向に挿脱される。
【００４８】
筐体１０の側面には、開口部１１の近傍部位にねじ穴１４と、ピン挿入穴１６とが設けられている。扉１２の他側部にはローレットねじ１３とピン１５とが取り付けられている。ローレットねじ１３はねじ穴１４と対応する位置、ピン１５はピン挿入穴１６と対応する位置にそれぞれ配置されている。扉１２を閉じた際に、ローレットねじ１３を筐体１０のねじ穴１４に締め込むことで、扉１２はロックされる。このとき、同時にピン１５がピン挿入穴１６に挿入される。このピン１５はインターロックとして作用し、ピン１５がピン挿入穴１６から抜き出された際には、光源ランプ２に電流が供給されないようになっている。
【００４９】
扉１２の裏面１２Ａの中央部にはランプユニット押し込み部１９が突設されている。ランプユニット押し込み部１９には弾性体２０が設けられている。扉１２を閉めた際、ランプユニット押し込み部１９はランプユニット４０に当接する。このとき、ランプユニット４０は弾性体２０によってランプユニット４０を挿入する方向に付勢される。
【００５０】
点灯装置２３は定電流回路であり、図示しないケーブルによって電源スイッチ２２と接続されている。また、図示しないケーブルによってランプハウス３０と接続されている。
【００５１】
図４はランプユニット４０を取り付けた状態におけるランプハウス３０及びシールドケース２４の内部構造を示した図である。図４に示すように、シールドケース２４の一端部側にはランプユニット４０が配設されている。シールドケース２４の他端部側にはランプユニット４０を冷却するための冷却ファン２５が配設されている。シールドケース２４内には冷却ファン２５によって生じる風をランプハウス３０に通すための通風孔２６が設けられている。
【００５２】
ランプハウス３０の構造について説明する。図３に示すように、ランプハウス３０は、底板３０Ａであるランプベース３６と、背面板３０Ｂ（図５に示す）と、シールドケース２４側の側板３０Ｃと、光学ユニット３側の側板３０Ｄと、天板３０Ｅとを有する。これらの壁板は、金属によって形成され、電磁波を通さないシールド構造になっている。そして、ランプベース３６と、背面板３０Ｂと、シールドケース２４側の側板３０Ｃと、光学ユニット３側の側板３０Ｄと、天板３０Ｅとの間にランプユニット４０が着脱可能に装着されるランプユニット装着部３０Ｆが形成されている。
【００５３】
図５に示すように、ランプハウス３０のランプベース３６上には２つのガイド部３７ａ，３７ｂと、陽極側及び陰極側の２つの電極台３８ａ，３８ｂとが設けられている。２つの電極台３８ａ，３８ｂはガイド部３７ａ，３７ｂの背面板３０Ｂ側（ランプベース３６のランプユニット挿入方向側）に配置されている。図６中で、上下方向が光源ランプ２の光軸方向である。図６に示すように２つの電極台３８ａ，３８ｂは、光源ランプ２の光軸方向に沿って並設されている。ガイド部３７ａ，３７ｂは、光源ランプ２の光軸と直交する方向に、ランプハウス３０の入り口側から終端位置側に向けて平行に延設されている。
【００５４】
図７に示すように電極台３８ａ，３８ｂにはそれぞれＵ字状のランプハウス電極３９ａ，３９ｂが取り付けられている。ランプハウス電極３９ａ，３９ｂは点灯装置２３と図示しないケーブルで接続されており、点灯装置２３から電流が供給される。
【００５５】
次に、ランプユニット４０の構成について説明する。図８はランプユニット４０を示した斜視図、図９はその分解斜視図である。図９に示すように、ランプユニット４０は主に光源ランプ２と、光源ランプ２の外周を覆う放熱用のヒートシンク４１とを組み付けて形成されている。光源ランプ２にはキセノンランプや、ＬＥＤ等が使用される。図９に示すように光源ランプ２は円筒状のランプ本体４３と、陽極側及び陰極側の２つのランプ電極４４ａ、４４ｂとから構成されている。光源ランプ２の外装は前部ケースと後部ケースとを接合して構成されており、その内部に高圧のガスが封入されている。ここで前部ケースと後部ケースは何れも金属製で、かつその間が絶縁されており、夫々が電極として構成されている。ここでは、前部ケースの全体が負極側電極（陰極側ランプ電極４４ｂ）、後部ケースの全体が正極側電極（陽極側ランプ電極４４ａ）である。各ランプ電極４４ａ、４４ｂの間に駆動電圧を加えることで内部の高圧ガス中で放電が行われて発光し、その光が前部ケースの前面の出射口から出射される。
【００５６】
放熱用のヒートシンク４１は、陽極側および陰極側の２つのヒートシンク４１ａ、４１ｂを有する。ヒートシンク４１ａ、４１ｂはアルミ等の熱伝導性の良い材質からなる円筒状のヒートシンク本体４１ａ１、４１ｂ１を有する。
【００５７】
陽極側ヒートシンク４１ａのヒートシンク本体４１ａ１の外周面には光源ランプ２の熱を効率良く放熱できるように多数のフィン４１ａ２が放射状に並設されている。陽極側ヒートシンク４１ａにはヒートシンク本体４１ａ１の下端部に固定ブロック８１が設けられている。この固定ブロック８１には、ヒートシンク本体４１ａ１の底部から下方向に伸びる脚部８１ａが設けられている。脚部８１ａには水平方向に延出された上下２つの突設部５１ａ，５１ｂが設けられている。上下２つの突設部５１ａ，５１ｂと脚部８１ａとによってほぼＵ字状の陽極側電極嵌合部５１が形成されている。図１０に示すように、陽極側電極嵌合部５１は、陽極側電極台３８ａのランプハウス電極３９ａに挿脱可能に嵌合されるようになっている。
【００５８】
陽極側ヒートシンク４１ａのヒートシンク本体４１ａ１の筒内には、光源ランプ２の陽極側ランプ電極４４ａが装着されるランプ装着部５５が設けられている。ランプ装着部５５では、シールドケース２４側の端部に図１１に示すようにリング状のランプ受け部５７が形成されている。ランプ受け部５７とは反対側の端部にはランプ受け部５７よりも大径なリング状溝部５６が形成されている。
【００５９】
図１１、図１５（ａ）に示すように、陽極側ヒートシンク４１ａのランプ受け部５７には複数、本実施形態ではランプ固定用の３つのねじ孔５４ａ，５４ｂ，５４ｃが光源ランプ２の光軸と平行に設けられている。陽極側ヒートシンク４１ａのランプ装着部５５に光源ランプ２の陽極側ランプ電極４４ａが装着された際に、図１５（ｂ）に示すようにランプ受け部５７の冷却ファン２５の方向側から固定ねじ５１１がねじ孔５４ａ，５４ｂ，５４ｃに挿入されることで、光源ランプ２を陽極側ヒートシンク４１ａに固定するための固定機構が構成されている。そして、各固定ねじ５１１の先端のねじ部が光源ランプ２の陽極側ランプ電極４４ａの図示しないねじ孔に螺着されることにより、光源ランプ２のランプ本体４３が陽極側ヒートシンク４１ａに固定される。
【００６０】
図１３に示すように、陰極側ヒートシンク４１ｂのヒートシンク本体４１ｂ１の外周面には多数のフィン４１ｂ２が放射状に並設されている。陰極側ヒートシンク４１ｂにはヒートシンク本体４１ｂ１の底部から下方向に伸びる脚部８１ｂが設けられている。脚部８１ｂには水平方向に延出された上下２つの突設部５２ａ，５２ｂが設けられている。上下２つの突設部５２ａ，５２ｂと脚部８１ｂとによってほぼＵ字状の陰極側電極嵌合部５２が形成されている。図１０に示すように、陰極側電極嵌合部５２は、陰極側電極台３８ｂのランプハウス電極３９ｂに挿脱可能に嵌合されるようになっている。
【００６１】
図１４に示すように、陰極側ヒートシンク４１ｂのヒートシンク本体４１ｂ１の筒内には、光源ランプ２の陰極側ランプ電極４４ｂが装着されるランプ装着部５８が設けられている。陰極側ヒートシンク４１ｂのヒートシンク本体４１ｂ１の側面には、ヒートシンク本体４１ｂ１のリング形状を切断するようにすり割り状のスリット部４１ｂ３が形成されている。
【００６２】
ヒートシンク本体４１ｂ１のスリット部４１ｂ３の下側には横方向に伸びる水平な板状の下側屈曲部５９ａが形成されている。同様に、ヒートシンク本体４１ｂ１のスリット部４１ｂ３の上側には横方向に伸びる水平な板状の上側屈曲部５９ｂが形成されている。
【００６３】
下側屈曲部５９ａにはランプ固定用の第１のねじ孔５９ａ１、上側屈曲部５９ｂには第２のねじ孔５９ｂ１がそれぞれ設けられている。第１のねじ孔５９ａ１の径は第２のねじ孔５９ｂ１の径より大きく形成されている。第１のねじ孔５９ａ１と第２のねじ孔５９ｂ１とには、２段固定ねじ６０が螺挿されることで、光源ランプ２を陰極側ヒートシンク４１ｂに固定するための固定機構が構成されている。そして、ランプ装着部５８に光源ランプ２の陰極側ランプ電極４４ｂが装着された際に、第１のねじ孔５９ａ１を経て第２のねじ孔５９ｂ１に螺挿される２段固定ねじ６０によってランプ装着部５８に光源ランプ２の陰極側ランプ電極４４ｂがねじ止め固定される。
【００６４】
２段固定ねじ６０は、図１４に示すように大径なフランジ状の第１頭部６１と、第１頭部６１よりも小径な第２頭部６２と、雄ねじ部６３とから構成されている。第１頭部６１は、第１のねじ孔５９ａ１の径よりも大径に形成されている。第２頭部６２は、第１のねじ孔５９ａ１の径とほぼ同径に形成されている。雄ねじ部６３は、上側屈曲部５９ｂの第２のねじ孔５９ｂ１に螺着できるように形成されている。そして、下側屈曲部５９ａの厚さＴ１と、第２頭部６２の長さＬ１とが適正に設定されている。
【００６５】
これにより、２段固定ねじ６０の締め込み時に、第２頭部６２の上面が上側屈曲部５９ｂの下面に当接した状態で、上側屈曲部５９ｂと下側屈曲部５９ａとの間のスペースＳ１が適正に調整され、ランプ装着部５８に光源ランプ２の陰極側ランプ電極４４ｂが装着された際に、光源ランプ２を陰極側ヒートシンク４１ｂに固定するのに適切な締め付け具合（陰極側ランプ電極４４ｂを適宜の挾持力で挟持できる程度）を得られるように設定されている。
【００６６】
なお、２段固定ねじ６０の代わりの固定機構として、板ばねや座金などを用いて締め付け具合を調整する構成にしてもよい。
【００６７】
図１３に示すように陰極側ヒートシンク４１ｂの内周面には周方向に沿って複数、本実施形態では４つの溝部６４ａ，６４ｂ，６４ｃ，６４ｄが設けられている。４つの溝部６４ａ，６４ｂ，６４ｃ，６４ｄは、光源ランプ２の光軸方向に延設されている。これらの溝部６４ａ，６４ｂ，６４ｃ，６４ｄによって冷却ファン２５によって生じる風の通風を良くして、光源ランプ２の周辺に溜まる熱を放出する構造となっている。
【００６８】
また、本実施の形態では、ランプユニット４０のヒートシンク４１の外周を覆うとともに、ヒートシンク４１の冷却用の送風路を構成する筒状のホルダー４２が設けられている。このホルダー４２は、少なくとも２つのホルダー構成体、すなわちランプユニット側ホルダー構成体４２Ａとランプハウス側ホルダー構成体４２Ｂとを有する。
【００６９】
ランプユニット側ホルダー構成体４２Ａは、ランプユニット４０に組み付けられている。ランプハウス側ホルダー構成体４２Ｂは、ランプハウス３０に組み付けられている。そして、ランプユニット側ホルダー構成体４２Ａとランプハウス側ホルダー構成体４２Ｂとは、光源ランプ２の光軸方向と平行な分割線に沿って分割可能に組み合わされている。
【００７０】
ランプユニット側ホルダー構成体４２Ａは、伝熱性が低い絶縁材料で形成された断面形状がほぼ半円形状のホルダー本体４２Ａ１を有する。ホルダー本体４２Ａ１の内周面には陽極側ヒートシンク４１ａと接合される陽極側ヒートシンク接合部７２ａと、陰極側ヒートシンク４１ｂと接合される陰極側ヒートシンク接合部７２ｂとが設けられている。
【００７１】
ランプユニット側ホルダー構成体４２Ａの底部７１は、ヒートシンク４１側の部分にヒートシンク取り付け部７７を有する。ヒートシンク取り付け部７７は、陽極側ヒートシンク取り付け部７７ａ及び陰極側ヒートシンク取り付け部７７ｂを有する。
【００７２】
図１１，１２に示すように陽極側ヒートシンク取り付け部７７ａは、陽極側ヒートシンク４１ａの固定ブロック８１と対応する形状に形成されている。図９、図１６に示すように陽極側ヒートシンク取り付け部７７ａにはランプユニット側ホルダー構成体４２Ａに陽極側ヒートシンク４１ａを固定する図示しない固定ねじを挿通するための複数、本実施形態では３つのねじ挿通孔７８ａ、７８ｂ、７８ｃが形成されている。そして、図示しない固定ねじが陽極側ヒートシンク取り付け部７７ａの下方から各ねじ挿通孔７８ａ、７８ｂ、７８ｃにそれぞれ挿入され、陽極側ヒートシンク４１ａの固定ブロック８１の図示しない３つのねじ孔に螺着されることによって、陽極側ヒートシンク４１ａがランプユニット側ホルダー構成体４２Ａに固定される。
【００７３】
なお、図１１、１２に示すようにランプユニット側ホルダー構成体４２Ａの底部７１の陽極側ヒートシンク取り付け部７７ａに陽極側ヒートシンク４１ａの固定ブロック８１が正しく突き当たる位置で、陽極側ヒートシンク取り付け部７７ａの３つのねじ挿通孔７８ａ、７８ｂ、７８ｃと、陽極側ヒートシンク４１ａの固定ブロック８１の図示しない３つのねじ孔の位置とが合致するように位置決めされる状態に設定されている。
【００７４】
図１３に示すように陰極側ヒートシンク取り付け部７７ｂは、陰極側ヒートシンク４１ｂの脚部８１ｂと対応する形状に形成されている。図９に示すように陰極側ヒートシンク取り付け部７７ｂにはランプユニット側ホルダー構成体４２Ａに陰極側ヒートシンク４１ｂを固定する固定ねじ８０を挿通するための１つのねじ挿通孔７９が形成されている。そして、固定ねじ８０が陰極側ヒートシンク取り付け部７７ｂの下方からねじ挿通孔７９に挿入され、陰極側ヒートシンク４１ｂの脚部８１ｂの図示しないねじ孔に螺着されることによって、陰極側ヒートシンク４１ｂがランプユニット側ホルダー構成体４２Ａに固定される。
【００７５】
また、図１３に示すようにランプユニット側ホルダー構成体４２Ａの底部７１の陰極側ヒートシンク取り付け部７７ｂに陰極側ヒートシンク４１ｂの脚部８１ｂが正しく突き当たる位置で、陰極側ヒートシンク取り付け部７７ｂの１つのねじ挿通孔７９と、陰極側ヒートシンク４１ｂの脚部８１ｂの図示しない１つのねじ孔の位置とが合致するように位置決めされる状態に設定されている。
【００７６】
さらに、ランプユニット側ホルダー構成体４２Ａの底部７１には、ランプハウス３０のランプベース３６上のガイド部３７ａ，３７ｂと係脱可能に係合する２つの係合部７１ａ，７１ｂが形成されている。これらの係合部７１ａ，７１ｂは、ランプハウス３０のランプベース３６上のガイド部３７ａ，３７ｂと係合した状態で、ガイド部３７ａ，３７ｂに沿って光源ランプ２の光軸方向と直交する方向にランプユニット４０を移動する動作をガイドする。
【００７７】
ランプユニット４０をランプハウス３０に装着する作業時には、図１８に示すように、ランプハウス３０の入り口側でランプユニット４０の底部７１の係合部７１ａ，７１ｂがランプベース３６上のガイド部３７ａ，３７ｂに係脱可能に係合される。この状態で、ランプユニット４０がランプハウス３０の奥に向けて押し込み操作される。このとき、ランプユニット４０の底部７１の係合部７１ａ，７１ｂがランプベース３６上のガイド部３７ａ，３７ｂに沿ってガイドされる状態で、ランプユニット４０が光源ランプ２の光軸方向と直交する方向に移動される。そして、図１９に示すように、ランプベース３６上のガイド部３７ａ，３７ｂの終端位置で、ランプユニット４０の陽極側電極嵌合部５１にランプハウス３０の陽極側電極台３８ａのＵ字状のランプハウス電極３９ａが挿入される状態で嵌合し、電気的に接続される。このとき、同時にランプユニット４０の陰極側電極嵌合部５２にランプハウス３０の陰極側電極台３８ｂのＵ字状のランプハウス電極３９ｂが挿入される状態で嵌合し、電気的に接続される。この接続時において、Ｕ字状のランプハウス電極３９ａと嵌合するランプユニット４０側の陽極側電極嵌合部５１の幅に余裕を持たせておくことにより、ランプハウス３０とランプユニット４０との間の光源ランプ２の光軸方向の位置ずれを許容して嵌合できる構造になっている。さらに、Ｕ字状のランプハウス電極３９ａとランプユニット４０側の陽極側電極嵌合部５１との嵌合量（嵌合可能な深さ）が比較的長く設定されていることによって、ランプハウス３０とランプユニット４０との間の光源ランプ２のランプユニット４０を挿脱する方向の位置ずれを吸収し、所定の位置で嵌合できる構造になっている。これにより、ランプハウス３０とランプユニット４０との間の電気接続部の高精度な部品精度が不要になるので、組立て作業性を高め、かつコスト低下を図ることができる。
【００７８】
図８に示すようにランプユニット側ホルダー構成体４２Ａには、ヒートシンク４１の装着面とは反対側の側面に設置台７４が設けられている。この設置台７４の端面には、平面状の受け面７４ａが設けられている。受け面７４ａには、ほぼ矩形の凹陥部７５が形成されている。この凹陥部７５によってランプハウス３０側に対してランプユニット４０を着脱する着脱作業用の手掛け部が形成されている。そして、ランプユニット４０の光源ランプ２の交換作業時には、図２１に示すように、ランプハウス３０から取り外されたランプユニット４０が設置台７４の受け面７４ａを下に向けた状態で、床上に載置される。これにより、ランプユニット４０をランプハウス３０から取り外し、光源ランプ２の交換作業を行う際に、ランプユニット４０では、陽極側ヒートシンク４１ａのランプ装着部５５及び光源ランプ２を固定する固定機構である固定ねじ５１１が中央部に、陰極側ヒートシンク４１ｂのスリット部４１ｂ３及び光源ランプ２を固定する固定機構である２段固定ねじ６０が上側に、ヒートシンク取り付け部７７ａ，７７ｂが側面側に配置される。つまり、ヒートシンク４１、光源ランプ２、ホルダー構成体４２Ａの取り付け及び固定するための各機構が、ランプユニット４０において設置台７４の設置面とは異なる側の部位に配置された状態で床上に安定に設置されるようになっている。
【００７９】
なお、本実施形態ではランプユニット側ホルダー構成体４２Ａの受け面７４ａは、ランプユニット側ホルダー構成体４２Ａとランプハウス側ホルダー構成体４２Ｂとの分割方向に対し垂直な面であり、ホルダー４２の分割線と平行に配置されている。しかしながら、必ずしもこれに限定されるものではなく、ランプユニット側ホルダー構成体４２Ａの受け面７４ａは、ホルダー４２の分割方向に対し垂直な面でなくてもよい。
【００８０】
また、ランプユニット側ホルダー構成体４２Ａの上端部には横向きに突出された係合爪部７３が形成されている。この係合爪部７３は、ランプユニット側ホルダー構成体４２Ａの上端部に光源ランプ２の光軸方向に沿って延設されている。ランプハウス側ホルダー構成体４２Ｂの上端部には横向きに突出された係合爪受け部３３が形成されている。この係合爪受け部３３は、ランプハウス側ホルダー構成体４２Ｂの上端部に光源ランプ２の光軸方向に沿って延設されている。係合爪部７３に係合爪受け部３３が乗り上げた状態で、ランプユニット側ホルダー構成体４２Ａとランプハウス側ホルダー構成体４２Ｂが係合し、ホルダー４２を構成する。なお、係合爪受け部３３に係合爪部７３が乗り上げた状態で、ランプユニット側ホルダー構成体４２Ａとランプハウス側ホルダー構成体４２Ｂが係合する構成としてもよい。
【００８１】
次に、上記構成の医療用光源装置１の作用について説明する。
【００８２】
ランプユニット４０をランプハウス３０に装着する作業時には、図１８に示すように、ランプハウス３０の入り口側でランプユニット４０の底部７１の係合部７１ａ，７１ｂがランプベース３６上のガイド部３７ａ，３７ｂに係脱可能に係合される。この状態で、ランプユニット４０がランプハウス３０の奥に向けて押し込み操作される。このとき、ランプユニット４０の底部７１の係合部７１ａ，７１ｂがランプベース３６上のガイド部３７ａ，３７ｂに沿ってガイドされる状態で、ランプユニット４０が光源ランプ２の光軸方向と直交する方向に移動される。ランプユニット４０を移動する際、ランプユニット側ホルダー構成体４２Ａの設置台７４の受け面７４ａに設けられた凹陥部７５を手で保持することができる。  
そして、図１９に示すように、ランプベース３６上のガイド部３７ａ，３７ｂの終端位置で、ランプユニット４０の陽極側電極嵌合部５１にランプハウス３０の陽極側電極台３８ａのＵ字状のランプハウス電極３９ａが挿入される状態で嵌合し、電気的に接続される。このとき、同時にランプユニット４０の陰極側電極嵌合部５２にランプハウス３０の陰極側電極台３８ｂのＵ字状のランプハウス電極３９ｂが挿入される状態で嵌合し、電気的に接続される。この接続時にはＵ字状のランプハウス電極３９ａがランプユニット４０の陽極側電極嵌合部５１に嵌合されることにより、ランプハウス３０とランプユニット４０との間の光源ランプ２の光軸方向の位置ずれは許容できる範囲内になっている。さらに、Ｕ字状のランプハウス電極３９ａとランプユニット４０の陽極側電極嵌合部５１との嵌合部分が比較的長く設定されていることによってランプハウス３０とランプユニット４０との間の光源ランプ２のランプユニット４０を挿脱する方向の位置ずれも許容できる範囲内になっている。
【００８３】
この状態で扉１２を閉めると、図２０に示すように、扉１２の裏面１２Ａに設けられたランプユニット押し込み部１９の弾性体２０によってランプユニット４０がランプユニット挿入方向（図２０の矢印Ｃの方向）に付勢される。これにより、ランプユニット４０がランプハウス３０のランプユニット抜脱方向（図２０の矢印Ｃと反対方向）にずれるのを防止することができる。したがって、ランプハウス電極３９ａがランプユニット４０の陽極側電極嵌合部５１に嵌合され、ランプハウス電極３９ｂがランプユニット４０の陰極側電極嵌合部５２に嵌合された状態で固定される。
【００８４】
なお、例えばランプハウス電極３９ａがランプユニット４０の陽極側電極嵌合部５１に嵌合されていない場合等、ランプユニット４０がランプハウス３０のランプユニット装着部３０Ｆに正しく取り付けられていない場合には、扉１２が閉まらないようになっている。このため、インターロックとしての役割を果たすピン１５がピン挿入穴１６挿入されず、光源ランプ２に電源が供給されないようになっている。
【００８５】
一方、ランプユニット４０をランプハウス３０から取り外す作業時には、まず、扉１２を開く。これにより、ランプユニット押し込み部１９の弾性体２０によってランプユニット４０はランプユニット挿入方向に付勢されなくなる。このため、ランプユニット４０はランプユニット抜脱方向に移動可能となる。
【００８６】
この状態で、ランプユニット４０がランプハウス３０の手前に向けて引っ張り操作される。このとき、ランプユニット４０の底部７１の係合部７１ａ，７１ｂがランプベース３６上のガイド部３７ａ，３７ｂに沿ってガイドされる状態で、ランプユニット４０が光源ランプ２の光軸方向と直交する方向に移動される。ランプユニット４０を移動する際、ランプユニット側ホルダー構成体４２Ａの設置台７４の受け面７４ａに設けられた凹陥部７５を手で保持することができる。  そして、筐体１０に設けられた開口部１１からランプユニット４０を取り出す。  ランプユニット側ホルダー構成体４２Ａは、伝熱性が低い材料で形成されているため、ヒートシンク４１が高温になっている場合であっても、ランプユニット側ホルダー構成体４２Ａを保持することができる。また、ランプユニット側ホルダー構成体４２Ａは、絶縁材料で形成されているため、ランプユニット４０が通電状態であってもランプユニット側ホルダー構成体４２Ａを保持することができる。
【００８７】
次に、ランプハウス３０から取り外したランプユニット４０の光源ランプ２を交換する操作時には、まず、下側屈曲部５９ａのランプ固定用の第１のねじ孔５９ａ１と上側屈曲部５９ｂの第２のねじ孔５９ｂ１に螺挿される２段固定ねじ６０の締め込みを緩める。２段固定ねじ６０の締め込みを緩めることで、陰極側ヒートシンク４１ｂによる光源ランプ２の締め付け具合が緩められる。これにより、陰極側ヒートシンク４１ｂのランプ装着部５８から光源ランプ２の陰極側ランプ電極４４ｂが取り外される。
【００８８】
そして、陰極側ヒートシンク取り付け部７７ｂのねじ挿通孔７９に挿入され、陰極側ヒートシンク４１ｂの脚部８１ｂの図示しないねじ孔に螺着している固定ねじ８０を取り外す。固定ねじ８０を取り外すことで、陰極側ヒートシンク４１ｂをランプユニット側ホルダー構成体４２Ａから取り外すことができる。これにより、光源ランプ２の陰極側ランプ電極４４ｂの外周面は陰極側ヒートシンク４１ｂで覆われず、むき出し状態となる。
【００８９】
この状態で  陽極側ヒートシンク４１ａのランプ装着部５５のランプ受け部５７に設けられた３つのねじ孔５４ａ，５４ｂ，５４ｃに挿入される、各固定ねじ５１１を取り外す。固定ねじ５１１を取り外すことで、光源ランプ２の陽極側ランプ電極４４ａが陽極側ヒートシンク４１ａランプ装着部５５から取り外される。そして、新しい光源ランプ２を陽極側ヒートシンク４１ａに取り付ける。
【００９０】
まず、固定ねじ５１１を陽極側ヒートシンク４１ａのランプ装着部５５のランプ受け部５７に設けられたねじ孔５４ａ，５４ｂ，５４ｃに挿入し、各固定ねじ５１１の先端のねじ部が光源ランプ２の陽極側ランプ電極４４ａの図示しないねじ孔に螺着させる。これにより、陽極側ヒートシンク４１ａのランプ装着部５５に光源ランプ２の陽極側ランプ電極４４ａが装着され、光源ランプ２が陽極側ヒートシンク４１ａに固定される。
【００９１】
そして、ランプユニット側ホルダー構成体４２Ａの陰極側ヒートシンク取り付け部７７ｂに設けられたねじ挿通孔７９に固定ねじ８０を挿入し、陰極側ヒートシンク４１ｂの脚部８１ｂの図示しないねじ孔に螺着させる。これにより、陰極側ヒートシンク４１ｂがランプユニット側ホルダー構成体４２Ａに固定される。このとき、ランプユニット側ホルダー構成体４２Ａの底部７１の陰極側ヒートシンク取り付け部７７ｂに陰極側ヒートシンク４１ｂの脚部８１ｂが正しく突き当たる位置で、陰極側ヒートシンク取り付け部７７ｂのねじ挿通孔７９と、陰極側ヒートシンク４１ｂの脚部８１ｂのねじ孔の位置とが合致するようになっている。合致する位置でランプユニット側ホルダー構成体４２Ａに陰極側ヒートシンク４１ｂを取り付けることで、ランプユニット４０をランプハウス３０に取り付けた際、ランプユニット４０の陰極側電極嵌合部５２にランプハウス３０の陰極側電極台３８ｂのＵ字状のランプハウス電極３９ｂが挿入される状態で正しく嵌合するようになっている。
【００９２】
そして、陰極側ヒートシンク４１ｂの下側屈曲部５９ａの第１のねじ孔５９ａ１と上側屈曲部５９ｂの第２のねじ孔５９ｂ１に２段固定ねじ６０を挿入し、２段固定ねじ６０の締め込み具合を調整することで、陰極側ヒートシンク４１ｂのランプ装着部５８に光源ランプ２の陰極側ランプ電極４４ｂを固定する。２段固定ねじ６０の締め込み時には、第２頭部６２の上面が上側屈曲部５９ｂの下面に当接した状態で、上側屈曲部５９ｂと下側屈曲部５９ａとの間のスペースＳ１（図１４に示す）が適正に調整されることにより、ランプ装着部５８に光源ランプ２の陰極側ランプ電極４４ｂが装着された際に、光源ランプ２を陰極側ヒートシンク４１ｂに固定するのに適切な締め付け具合（陰極側ランプ電極４４ｂを適宜の挾持力で挟持できる程度）を得られるようになっている。
【００９３】
ランプユニット４０をランプハウス３０から取り外した後、上述した光源ランプ２の交換を行う操作は、図２１に示すように、ランプユニット４０の設置台７４の受け面７４ａを下に向けた状態で、床上に載置して行う。これにより、ランプユニット４０をランプハウス３０から取り外し、光源ランプ２の交換作業を行う際に、ランプユニット４０は、陰極側ヒートシンク４１ｂのスリット部４１ｂ３や、光源ランプを固定する固定機構である２段固定ねじ６０が上側（設置台７４の設置面と反対側）に配置された状態で床上に安定に設置され、この設置した状態のままで光源ランプ２の交換作業が可能となっており、光源ランプ２の交換操作の操作性が向上する。
【００９４】
また、設置台７４の受け面７４ａをランプユニット側ホルダー構成体４２Ａとランプハウス側ホルダー構成体４２Ｂの分割面と平行に設けることにより、ランプユニット側ホルダー構成体４２Ａの受け面７４ａを床上に載置する際、ランプユニット４０を安定させて床上に載置することができる。
【００９５】
また、ランプユニット側ホルダー構成体４２Ａでは陰極側ヒートシンク４１ｂを取り付ける陰極側ヒートシンク取り付け部７７ｂが、設置台７４の受け面７４ａと垂直な平面状に形成されていることにより、ランプユニット側ホルダー構成体４２Ａに陰極側ヒートシンク４１ｂを着脱する操作の操作性が向上する。
【００９６】
光源ランプ２の交換操作が完了すると、ランプユニット４０を上述した操作によりランプハウス３０に取り付ける。
【００９７】
ランプユニット４０がランプハウス３０に取り付けられると、ランプユニット側ホルダー構成体４２Ａとランプハウス側ホルダー構成体４２Ｂによって、筒状のホルダー４２が形成される。  ホルダー４２はヒートシンク４１の外周を覆い、ホルダー４２の内側には送風路が形成される。冷却ファン２５により生じる風はホルダー４２の内側の送風路のみを通り、ヒートシンク４１を効率よく冷却することができる。
【００９８】
そこで、上記構成の医療用光源装置１においては以下の効果を奏する。すなわち、本実施形態における医療用光源装置１では、  ランプユニット側ホルダー構成体４２Ａは、伝熱性が低い材料で形成されているため、ヒートシンク４１が高温になっている場合であっても、ランプユニット側ホルダー構成体４２Ａを保持することができる。また、ランプユニット側ホルダー構成体４２Ａは、絶縁材料で形成されているため、ランプユニット４０が通電状態であってもランプユニット側ホルダー構成体４２Ａを保持することができる。
【００９９】
また、医療用光源装置１においては、ランプユニット側ホルダー構成体４２Ａとランプハウス側ホルダー構成体４２Ｂがホルダー４２を形成し、ホルダー４２によりヒートシンク４１の外周を覆うと、ホルダー４２の内側に送風路が形成される。冷却ファン２５により生じる風はヒートシンク４１が配置されるホルダー４２の内側の送風路のみを通過する。これにより、ヒートシンク４１を有効に冷却することができる。
【０１００】
また、ランプユニット４０をランプハウス３０から取り外し、光源ランプ２の交換作業を行う際に、ランプユニット４０は、陰極側ヒートシンク４１ｂのスリット部４１ｂ３や、光源ランプを固定する固定機構である２段固定ねじ６０が上側（設置台７４の設置面と反対側）に配置された状態で床上に安定に設置され、この設置した状態のままで光源ランプ２の交換作業を行うことができる。これにより、光源ランプ２の交換操作の操作性を向上させることができる。
【０１０１】
また、医療用光源装置１においては、ランプユニット側ホルダー構成体４２Ａの設置台７４の受け面７４ａが平面状に形成されている。これにより、ランプユニット４０をランプハウス３０から取り外し、光源ランプ２の交換作業を行う際に、ランプユニット４０は、ヒートシンク４１を上に向けた状態で床上に安定に設置されるようになっており、光源ランプ２の交換操作の操作性を向上させることができる。
【０１０２】
また、医療用光源装置１においては、ランプユニット側ホルダー構成体４２Ａの受け面７４ａには凹陥部７５が形成されている。受け面７４ａの凹陥部７５に作業者の手を掛けることにより、ランプハウス３０に対してランプユニット４０を着脱する着脱作業を容易に行うことができる。
【０１０３】
また、医療用光源装置１においては、ランプユニット側ホルダー構成体４２Ａの陰極側ヒートシンク取り付け部７７ｂを設置台７４の受け面７４ａと異なる部位に設けられ、陰極側ヒートシンク取り付け部７７ｂの陰極側ヒートシンク４１ｂを取り付ける面が平面状に形成されている。これにより、ランプユニット側ホルダー構成体４２Ａに陰極側ヒートシンク４１ｂ着脱する操作の操作性が向上し、取り外したランプユニット４０の光源ランプ２を交換する操作の操作性を向上させることができる。
【０１０４】
また、医療用光源装置１においては、設置台７４の受け面７４ａをホルダー４２の分割面と平行に設けることにより、ランプユニット側ホルダー構成体４２Ａの受け面７４ａを床上に載置する際、ランプユニットをさらに安定させることができる。これにより、取り外したランプユニット４０の光源ランプ２を交換する操作の操作性を向上させることができる。
【０１０５】
また、医療用光源装置１においては、ランプユニット４０をランプハウス３０に装着する作業時には、ランプユニット４０の底部７１の係合部７１ａ，７１ｂがランプベース３６上のガイド部３７ａ，３７ｂに係脱可能に係合し、この状態で、ランプユニット４０がランプハウス３０の奥に向けて押し込み操作される。このとき、ランプユニット４０の底部７１の係合部７１ａ，７１ｂがランプベース３６上のガイド部３７ａ，３７ｂに沿ってガイドされる状態で、ランプユニット４０が光源ランプ２の光軸方向と直交する方向に移動される。  そして、ランプベース３６上のガイド部３７ａ，３７ｂの終端位置で、ランプユニット４０の電極嵌合部５１，５２にランプハウス３０の電極台３８ａ，３８ｂのＵ字状のランプハウス電極３９ａ，３９ｂが挿入される状態で嵌合し、電気的に接続される。これにより、ランプユニット４０をランプハウス３０に挿入する操作において電極嵌合部５１，５２とランプハウス電極３９ａ，３９ｂの位置調整を容易に行うことができ、光源ランプ２からの出力光が所定位置に調整され、ランプユニット４０をランプハウス３０に取り付ける操作の操作性を向上させることができる。
【０１０６】
また、医療用光源装置１では、ランプユニット側ホルダー構成体４２Ａに陰極側ヒートシンク４１ｂを固定するとき、ランプユニット側ホルダー構成体４２Ａの底部７１の陰極側ヒートシンク取り付け部７７ｂに陰極側ヒートシンク４１ｂの脚部８１ｂが正しく突き当たる位置で、陰極側ヒートシンク取り付け部７７ｂのねじ挿通孔７９と、陰極側ヒートシンク４１ｂの脚部８１ｂのねじ孔の位置とが合致するようになっている。合致する位置でランプユニット側ホルダー構成体４２Ａに陰極側ヒートシンク４１ｂを取り付けることで、ランプユニット４０をランプハウス３０に取り付けた際、ランプユニット４０の陰極側電極嵌合部５２にランプハウス３０の陰極側電極台３８ｂのＵ字状のランプハウス電極３９ｂが挿入される状態で正しく嵌合し、光源ランプ２からの出力光が所定の位置に調整されるようになっている。これにより、ランプユニット側ホルダー構成体４２Ａに陰極側ヒートシンク４１ｂ着脱する操作の操作性が向上し、取り外したランプユニット４０の光源ランプ２を交換する操作の操作性を向上させることができる。
【０１０７】
さらに、医療用光源装置１では、ランプハウス３０から取り外したランプユニット４０の光源ランプ２を交換する操作において、陰極側ヒートシンク４１ｂのみをランプユニット側ホルダー構成体４２Ａから取り外すことで、光源ランプ２の交換を行うことができる。これにより、陽極側ヒートシンク４１ａをランプユニット側ホルダー構成体４２Ａから取り外す必要はないため、ランプユニット４０の光源ランプ２を交換する操作の操作性を向上させることができる。
【０１０８】
また、陽極、陰極側のヒートシンク４１ａ、４１ｂは円筒形の形状に限らず、例えば図２２のように断面が四角い直方体形状であってもよい。
【０１０９】
以上本発明の実施形態について説明したが、本発明は上記の実施形態に限定されるものではなく、本発明の要旨を逸脱しない範囲で種々の変形ができることは勿論である。
【符号の説明】
【０１１０】
１…医療用光源装置、  ２…光源ランプ、  ３…集光ユニット、  ７…ライトガイド接続部、  １０…筐体、  １１…開口部、  １２…扉、  １９…ランプユニット押し込み部、  ２０…弾性体、  ２１…フロントパネル、  ２３…点灯装置、  ２４…シールドケース、  ２５…冷却ファン、  ２６…通風孔、  ３０…ランプハウス、  ３０Ｆ…ランプユニット装着部、    ３６…ランプベース、  ３７ａ，３７ｂ…ガイド部、  ３８ａ，３８ｂ…電極台、  ３９ａ，３９ｂ…ランプハウス電極、  ４０…ランプユニット、  ４１…ヒートシンク、  ４１ａ…陽極側ヒートシンク、  ４１ｂ…陰極側ヒートシンク、  ４２…ホルダー、  ４２Ａ…ランプユニット側ホルダー構成体、  ４２Ｂ…ランプハウス側ホルダー構成体、  ４３…ランプ本体、  ４４ａ，４４ｂ…ランプ電極、  ５１，５２…電極嵌合部、  ６４ａ，６４ｂ，６４ｃ，６４ｄ…溝部、  ７１…底部、  ７１ａ，７１ｂ…係合部、  ７４…設置台、  ７４ａ…受け面、  ７５…凹陥部、  ７７…ヒートシンク取り付け部、  ７７ａ…陽極側ヒートシンク取り付け部、  ７７ｂ…陰極側ヒートシンク取り付け部、  ８１ａ，８１ｂ…脚部。
【図１】
2010160923.tif 000003
【図２】
2010160923.tif 000004
【図３】
2010160923.tif 000005
【図４】
2010160923.tif 000006
【図５】
2010160923.tif 000007
【図６】
2010160923.tif 000008
【図７】
2010160923.tif 000009
【図８】
2010160923.tif 000010
【図９】
2010160923.tif 000011
【図１０】
2010160923.tif 000012
【図１１】
2010160923.tif 000013
【図１２】
2010160923.tif 000014
【図１３】
2010160923.tif 000015
【図１４】
2010160923.tif 000016
【図１５】
2010160923.tif 000017
【図１６】
2010160923.tif 000018
【図１７】
2010160923.tif 000019
【図１８】
2010160923.tif 000020
【図１９】
2010160923.tif 000021
【図２０】
2010160923.tif 000022
【図２１】
2010160923.tif 000023
【図２２】
2010160923.tif 000024